(57)【要約】【課題】  排水フィルターの構造を改善して洗濯水中の異物が效果的に除去されるようにすると同時に、排水フィルターを頻繁に掃除する必要のない排水ケーシングを備えた洗濯機を提供すること。【解決手段】  排水フィルターは、複数の濾過穴と濾過突起が形成されたフィルター部材と、フィルター部材の先端でフィルター部材に回動可能に結合される取っ手部と、を備える。濾過突起は、濾過穴の長さよりも大きい長さでフィルター部材の表面から垂直上向きに突設され、濾過穴は六角形状に形成される。排水フィルターは、排水ケーシングの前面に形成されたフィルター入口部を通じて着脱される。フィルター部材の後端には、案内板が形成され、フィルター入口部には、案内板に対応する案内突部が形成されて、排水フィルターの排水ケーシングとの組立位置を合わせる役割を担う。【選択図】  図５
2005319282.tif 000002
【特許請求の範囲】
【請求項１】
洗濯水が収容される水槽と、
洗濯水を排水させる排水ケーシングと、
該排水ケーシングの内部に配置され、複数の濾過穴と濾過突起を有するフィルター部材を備えた排水フィルターと、
を備えることを特徴とする洗濯機。
【請求項２】
前記濾過突起は、前記濾過穴の長さよりも大きい長さに、前記フィルター部材の表面から垂直上向きに突設されることを特徴とする請求項１に記載の洗濯機。
【請求項３】
前記濾過穴は、六角形状に形成されたことを特徴とする請求項１に記載の洗濯機。
【請求項４】
前記排水ケーシングの内部には、洗濯水を強制的に排出させるための排水ポンプがさらに備えられたことを特徴とする請求項１に記載の洗濯機。
【請求項５】
前記排水ポンプは、前記排水ケーシングの内部に配置されたインペラーと、前記排水ケーシングの外側で前記インペラーと連結された駆動モーターと、を備えてなることを特徴とする請求項４に記載の洗濯機。
【請求項６】
前記排水ケーシングの前面は、前記排水フィルターが着脱されるフィルター入口部を形成し、前記排水ケーシングの両側面には、洗濯水が流入する入口管と、洗濯水が前記排水ケーシングから排出される出口管がそれぞれ配置され、前記インペラーは、前記出口管に近接して設置されることを特徴とする請求項５に記載の洗濯機。
【請求項７】
前記フィルター部材は、前記入口管に対して傾斜して配置されることを特徴とする請求項６に記載の洗濯機。
【請求項８】
前記フィルター部材の後端には、その上端部が前記フィルター部材に対して一定角度だけ傾いた案内板が形成され、前記排水ケーシングのフィルター入口部には、前記案内板の傾斜している上端部に対応する案内突部が形成され、前記案内板の上端部が前記案内突部に合わせられることによって、前記排水フィルターの組立位置が合わせられるようにしたことを特徴とする請求項７に記載の洗濯機。
【請求項９】
前記水槽と排水ケーシングが内蔵されるハウジングと、
前記排水フィルターが結合された前記排水ケーシングを、前記ハウジングの底板に固定させるための支持台と、をさらに備えたことを特徴とする請求項５に記載の洗濯機。
【請求項１０】
前記排水ケーシングの下部には、下向きに突出した結合突起が設けられ、前記支持台の上部には、前記結合突起が結合し固定されるように挿入溝が形成されていることを特徴とする請求項９に記載の洗濯機。
【請求項１１】
前記支持台の底面には、該支持台を前記ハウジングの底板にねじ結合させるためのねじ穴が形成されていることを特徴とする請求項９に記載の洗濯機。
【請求項１２】
前記排水ケーシングが前記ハウジングから突き出るように設けられ、前記ハウジングを分離することなく前記排水フィルターを前記排水ケーシングから取り出せるようにしたことを特徴とする請求項１に記載の洗濯機。
【請求項１３】
前記排水フィルターの一端には回転自在に前記フィルター部材が結合され、該フィルター部材が特定方向に合わせられた状態で、前記排水フィルターが前記排水ケーシングに密閉結合されることを特徴とする請求項１に記載の洗濯機。
【請求項１４】
一定体積を有するボディーと、
該ボディーの両側面にそれぞれ配置される入口管及び出口管と、
前記ボディーの前面に形成されたフィルター入口部と、
該フィルター入口部を通じて前記ボディーに着脱され、複数のフィルター穴及びフィルター突起を有する排水フィルターと、
前記ボディーに近接するように設置されて、該ボディー内の洗濯水を、前記出口管を通じて強制排出させる排水ポンプと、
を備えたことを特徴とする排水ケーシング。
【請求項１５】
前記濾過突起は、前記濾過穴の長さよりも大きい長さに、前記排水フィルターの表面から垂直上向きに突設されることを特徴とする請求項１４に記載の排水ケーシング。
【請求項１６】
前記複数のフィルター穴及びフィルター突起を有する排水フィルターのフィルター部材は、前記入口管に対して傾斜して配置されることを特徴とする請求項１４に記載の排水ケーシング。
【発明の詳細な説明】
【技術分野】
【０００１】
本発明は、洗濯機に関し、さらに詳細には、洗濯水を濾過する、改善された排水フィルターを有する排水ケーシングを備えた洗濯機に関する。
【背景技術】
【０００２】
一般に、洗濯機は、洗濯物と洗濯水が溜まっている円筒形状の回転槽を回転させて洗濯を行う装置であり、その種類には、回転槽を水平に配置し、この回転槽が水平軸に対して正逆方向に回転する際に洗濯物が回転槽の内周面に沿って持ち上げられては落下することによって洗濯物を洗濯する方式を取るドラム洗濯機と、内部にパルセーターが配置された回転槽を垂直に配置し、このパルセーターが正逆方向に回転する際に発生する水流によって洗濯物を洗濯する方式を取る垂直軸洗濯機がある。
【０００３】
上記のドラム洗濯機と垂直軸洗濯機はそれぞれ、内部に洗濯水を収容し、回転槽に入っている洗濯物が洗濯されるようにする水槽と、洗濯が完了した後に、水槽に入っている洗濯水を外部へ強制排出させるための排水ポンプと、洗濯水中の異物を捕集すべく排水ポンプの前方に設置した排水フィルターと、を備える。ここで、水槽、排水フィルター及び排水ポンプは、洗濯機の本体から延在する排水ホースを介して相互に接続されている。
【０００４】
排水フィルターは、表面に一定大きさの複数の濾過穴が開いているため、洗い過程、すすぎ過程、または脱水過程中に排水ポンプを作動させると、水槽に溜まっている洗濯水が排水ホースに沿って流れ、続いて、この洗濯水中のボタンやピンのような堅い異物と毛羽や髪の毛のようなもろい異物は濾過穴によって捕集され、排水ポンプには流入しなくなる。
【０００５】
しかしながら、上述したような従来の洗濯機は、排水フィルターが単に濾過穴によって異物を除去する構造を有するため、濾過穴の大きさを小さくすると、一層効率よく異物を捕集することはできるものの、その分濾過穴が異物で詰まりやすいために、排水フィルターを頻繁に掃除しなければならず、不便だった。一方、濾過穴の大きさを増加させると、濾過穴は詰まりにくくなり、排水フィルターを頻繁に掃除する必要はないが、異物が濾過穴を通過して排水ポンプを詰まらせることがあるため、排水ポンプが円滑に動作しないか、堅い異物によって排水ポンプを損ねる恐れがあった。
【発明の開示】
【発明が解決しようとする課題】
【０００６】
本発明は、上記事情に鑑みて、排水フィルターの構造を改善して洗濯水中の異物を効率よく捕集することによって、排水フィルターを頻繁に掃除しなければならない不便さを解消した洗濯機を提供することを目的とする。
【課題を解決するための手段】
【０００７】
上記の目的を達成すべく、本発明の一様態によれば、洗濯水が収容される水槽と、洗濯水を排水させる排水ケーシングと、該排水ケーシングの内部に配置され、複数の濾過穴と濾過突起を有するフィルター部材を備えた排水フィルターと、を備える洗濯機が提供される。前記濾過突起は、前記濾過穴の長さよりも大きい長さに、前記フィルター部材の表面から垂直上向きに突設される。
【０００８】
また、前記洗濯機は、前記排水ケーシングの内部に、洗濯水を強制的に排出させるための排水ポンプをさらに備える。この排水ポンプは、前記排水ケーシングの内部に配置されたインペラーと、前記排水ケーシングの外側で前記インペラーと連結されたｂ動モーターと、を備える。
【０００９】
また、前記排水ケーシングの前面は、前記排水フィルターが着脱されるフィルター入口部を形成し、前記排水ケーシングの両側面には、洗濯水が流入する入口管と、洗濯水が前記排水ケーシングから排出される出口管がそれぞれ配置され、前記インペラーは、前記出口管に近接して設置される。前記フィルター部材は、前記入口管に対して傾斜して配置される。また、前記フィルター部材の後端には、その上端部が前記フィルター部材に対して一定角度だけ傾いた案内板が形成され、前記排水ケーシングのフィルター入口部には、前記案内板の傾斜している上端部に対応する案内突部が形成され、前記案内板の上端部が前記案内突部に合わせられることによって、前記排水フィルターの組立位置が合わせられるようにする。
【００１０】
また、前記洗濯機は、前記水槽と排水ケーシングが内蔵されるハウジングと、前記排水フィルターが結合された前記排水ケーシングを、前記ハウジングの底板に固定させるための支持台と、をさらに備えることを特徴とする。前記排水ケーシングの下部には、下向きに突出した結合突起が設けられ、前記支持台の上部には、前記結合突起が結合し固定されるように挿入溝が形成される。また、該支持台の底面には、該支持台を前記ハウジングの底板にねじ結合させるためのねじ穴が形成される。
【００１１】
前記洗濯機では、前記排水ケーシングが前記ハウジングから突き出るように設けられ、前記ハウジングを分離することなく前記排水フィルターを前記排水ケーシングから取り出せるようにする。また、前記排水フィルターの一端には回転自在に前記フィルター部材が結合され、該フィルター部材が特定方向に合わせられた状態で、前記排水フィルターが前記排水ケーシングに密閉結合される。
【００１２】
また、上記の目的を達成するために、本発明の他の様態によれば、一定体積を有するボディーと、該ボディーの両側面にそれぞれ配置される入口管及び出口管と、前記ボディーの前面に形成されたフィルター入口部と、該フィルター入口部を通じて前記ボディーに着脱され、複数のフィルター穴及びフィルター突起を有する排水フィルターと、前記ボディーに近接するように設置されて、該ボディー内の洗濯水を、前記出口管を通じて強制排出させる排水ポンプと、を備えた排水ケーシングが提供される。
【００１３】
前記濾過突起は、前記濾過穴の長さよりも大きい長さに、前記排水フィルターの表面から垂直上向きに突設され、また、前記複数のフィルター穴及びフィルター突起を有する排水フィルターのフィルター部材は、前記入口管に対して傾斜して配置される。
【発明の効果】
【００１４】
本発明の洗濯機によれば、排水ケーシングの内部で入口管に向けて傾斜して配置された排水フィルターが、複数の濾過突起と濾過穴を有し、洗濯水中の異物が二次にかけて捕集されるため、濾過穴が詰まらない状態で多量の異物が捕集され、排水フィルターの掃除周期を延ばすとともに、排水ポンプのインペラーに異物が付きにくく、排水ポンプの故障や損傷を效果的に防止することが可能になる。
【発明を実施するための最良の形態】
【００１５】
以下、添付図面に基づき、本発明の好ましい実施の形態について詳細に説明する。本発明は、ドラム洗濯機にも垂直軸洗濯機にも適用可能であるが、ここでは、説明の便宜のためにドラム洗濯機のみを例示するものとする。
【００１６】
図１は、本発明の一実施の形態に従うドラム洗濯機の概略的な内部構造を示す斜視図である。図１に示すように、ドラム洗濯機は、前面板１ａと後面板、両側面板、そして上面板と底板１ｂを有するハウジング１を備え、さらに、ハウジング１の内部に水平に設置されて洗濯水を収容するドラム形状の水槽２と、該水槽２の内部に回転自在に設置され、その表面に複数の脱水穴が開いているドラム形状の回転槽３と、該回転槽３を回転させて洗濯行程、濯ぎ行程及び脱水行程が行われるようにするモーター４と、を備える。
【００１７】
水槽２と回転槽３の前面部は、回転槽３の内部に洗濯物を投入したり回転槽３に入っている洗濯物を取り出すように開放されており、ハウジング１の前面板１ａには、水槽２と回転槽３の開放された前面を開閉するためのドア５がヒンジ結合されている。また、複数のリフター６が、回転槽３の内周面に沿って一定の間隔をおいて縦方向に配置され、回転槽３の回転によって洗濯物を一定の高さまで持ち上げては下に落とすことによって洗濯が行われるようにする。
【００１８】
ハウジング１の上部には、外部から洗濯水を供給するための給水ホース７と、供給される洗濯水に洗剤を混合するための洗剤容器８が設置されており、ハウジング１の底板１ｂには、洗い、すずき及び脱水行程時に、水槽２に溜まっている洗濯水をハウジング１の外部に排出させるための排水ケーシング２０が設置され、この排水ケーシング２０内には、排水ポンプ２１と排水フィルター３０が配置される。
【００１９】
排水フィルター３０は、排水ケーシング２０に分離可能に組み立てられ、水槽２と排水ケーシング２０は、排水ホース９を介して相互に連結される。該排水ホース９は、ハウジング１の外部に延在し、水槽２に溜まっている洗濯水をハウジング１の外部に排出する機能を担う。
【００２０】
続いて、図２ないし図５に基づき、排水ケーシング２０、排水ポンプ２１及び排水フィルター３０の構造と、排水フィルター３０の排水ケーシング２０への組立構造について説明する。
【００２１】
図２は、ハウジング１の底板１ｂに設置され、排水ホース９を介して水槽２と連結された排水ケーシング２０と、この排水ケーシング２０に結合される排水フィルター３０を分解して示す斜視図である。
【００２２】
排水ケーシング２０は、洗濯水が流動する空間を提供するために一定体積を有する中空形状に形成される。また、排水ポンプ２１は、排水ケーシング２０の内部に配置されて洗濯水を強制排出させるインペラー２２(図５参照)、排水ケーシング２０の外側でインペラー２２と軸着されてインペラー２２を回転させる駆動モーター２３と、を備えてなる。
【００２３】
排水ケーシング２０の前面は、排水フィルター３０が着脱自在となるように開放されてフィルター入口部２４を形成し、排水ケーシング２０の後部の両側面にはそれぞれ、排水ケーシング２０の内部に洗濯水を流入させるための入口管２５と、流入した洗濯水を排水ケーシング２０の外部に排出させるための出口管２６が配置されている。
【００２４】
入口管２５は、排水ケーシング２０の上部で水平に配置され、出口管２６は、排水ケーシング２０の中間部分で上向きに傾斜して配置される。排水ポンプ２１のインペラー２２は、入口管２５と対向する排水ケーシング２０の側面において出口管２６の下部に配置され(図５参照)、これによって、排水ポンプ２１の駆動モーター２３も入口管２５と対向する位置に設置されることになる。
【００２５】
入口管２５には、水槽２と連結された排水ホース９が接続され、出口管２６には、ハウジング１の外部に延在する排水ホース９が接続されるため、排水ポンプ２１が作動してインペラー２２が回転すると、水槽２に溜まっている洗濯水がハウジング１の外部へ強制排出される(図１参照)。
【００２６】
フィルター入口部２４は、略円筒形状に形成され、その内周面にはねじ山２４ａが刻まれており、該ねじ山２４ａの後端部には、フィルター入口部２４の上端から下向きに延在しその下端部が水平に形成された案内突部２４ｂが設けられる。ねじ山２４ａは、排水フィルター３０が簡便に着脱されるようにする機能を担うものであり、案内突部２４ｂは、排水フィルター３０の排水ケーシング２０への組立位置が簡便に合わせられるようにする機能を担う。
【００２７】
また、排水ケーシング２０の下端には、略十字架形状の横断面を有し、下向きに突出した結合突起２７が設けられている。この結合突起２７は、ハウジング１の底板１ｂ(図１参照)に結合される支持台４０に嵌め込まれる。
【００２８】
支持台４０は、排水ポンプ２１の作動時に生じる振動と騒音を吸収すると同時に、排水ケーシング２０をハウジング１の底板１ｂに結合させる機能を担う。この支持台４０の上面には、結合突起２７の形状に対応する挿入溝４１が形成され、この挿入溝４１に結合突起２７が嵌め込まれて固定される。また、支持台４０の各角には下端から上部に向かって形成されたねじ穴４２が形成され、ねじ４３をハウジング１の底板１ｂを貫いて各ねじ穴４２にそれぞれ締めつけることで、排水ケーシング２０がハウジング１に取り付けられる。
【００２９】
排水フィルター３０は、洗濯水を濾過するフィルター部材３１と、フィルター部材３１の先端に配置されて、フィルター部材３１が排水ケーシング２０に着脱されるようにする取っ手部３２と、フィルター部材３１の後端に配置されて、フィルター部材３１が排水ケーシング２０のフィルター入口部２４で正確に合わせられた状態で排水ケーシング２０の内部に挿入されるようにガイドする案内板３３と、を備える。
【００３０】
フィルター部材３１は、略四角形の板状に形成されたボディー３１ａと、該ボディー３１ａの両側端から円弧上に延設された側面部３１ｂと、ボディー３１ａの先端から上方に延設された先端部３１ｃ(図４参照)と、を備える。
【００３１】
フィルター部材３１のボディー３１ａには、一定の大きさに形成された複数の濾過穴３４と、これら濾過穴３４どうし間で上向きに突出した複数の濾過突起３５が設けられている。これら濾過穴３４は、この濾過穴３４を通る洗濯水が流動抵抗を小さく受けるようにし、かつ、ボディー３１ａが充分なる強度を維持しながらできるだけ多くの濾過穴３４が形成されるように六角形状に形成される。
【００３２】
この六角形状の各濾過穴３４と濾過穴３４との間に配置された濾過突起３５は、濾過穴３４の長さよりも大きい長さに、ボディー３１ａの表面から垂直上向きに突設される。ここで、濾過穴３４の長さは、例えば穴の幅または直径を意味する。
【００３３】
したがって、洗濯水中の異物は、濾過突起３５によってまず捕集され、引き続き、濾過穴３４によって捕集されるため、フィルター部材３１によって効率よく除去される。その結果、排水フィルター３０の掃除周期が延びるとともに、異物が排水ポンプ２１のインペラー２２を詰まらせたり損傷を与えたりすることが防止される。
【００３４】
取っ手部３２は、排水ケーシング２０のフィルター入口部２４に対応する形状、つまり、略円筒形状に形成され、その外周面にはフィルター入口部２４に刻まれたねじ山２４ａに対応するねじ山３２ａが形成されており、その外面には取っ手部３２を回しうるようにノブ３２ｂが突設されている。また、取っ手部３２の内面には、排水ケーシング２０のフィルター入口部２４を密閉させるシーリング部材３６が設けられている。
【００３５】
フィルター部材３１の後端に配置された案内板３３は、その一端が、フィルター部材３１の一側端から上向きに傾斜して一直線にフィルター部材３１の他側端に続く上端部３３ａを有する。この構造から、案内板３３は、フィルター部材３１の後端において概ね扇形となり、上端部３３ａは、フィルター部材３１のボディー３１ａに対して一定角度だけ傾くことになる。
【００３６】
したがって、図３に示すように、案内板３３の上端部３３ａを案内突部２４ｂと水平に配置すると、傾斜している上端部３３ａが、フィルター入口部２４の案内突部２４ｂの下部に合わせられ、これによって、排水フィルター３０は排水ケーシング２０の組立位置に簡便に差し込まれる。こうしてフィルター部材３１が排水ケーシング２０内に配置されると、フィルター部材３１は入口管２５に向けて傾斜している状態となる(図５参照)。
【００３７】
図４に示すように、フィルター部材３１が排水ケーシング２０に嵌め込まれた状態で、フィルター部材３１は固定され、取っ手部３２のみが回転することによって排水フィルター３０が排水ケーシング２０に結合されたり排水ケーシング２０から分離されるようにするために、取っ手部３２はフィルター部材３１に回転自在に結合される。
【００３８】
すなわち、フィルター部材３１の先端部３１ｃには、中空のブッシュ３７が設置され、該ブッシュ３７を通じて取っ手部３２にねじ３８を締めつけることによって、取っ手部３２がフィルター部材３１に回動可能に固定される。
【００３９】
したがって、フィルター部材３１が排水ケーシング２０に嵌め込まれた状態で、取っ手部３２のノブ３２ｂを一方向に回すと、取っ手部３２が回転して取っ手部３２のねじ山３２ａとフィルター入口部２４のねじ山２４ａが相互に締めつけられることで排水フィルター３０が排水ケーシング２０に組み立てられ、一方、ノブ３２ｂを反対方向に回すと、排水フィルター３０が排水ケーシング２０から分離しうる。
【００４０】
取っ手部３２をハウジング１の前面板１ａの外側に配置すると、ハウジング１を分離することなく排水フィルター３０を排水ケーシング２０から取り出すことができ、フィルター部材３１を簡便に掃除することが可能になる。
【００４１】
図５に示すように、排水フィルター３０が排水ケーシング２０に結合された状態で、フィルター部材３１は入口管２５に向けて傾斜している。この状態で、排水ポンプ２１の駆動モーター２３を作動させて排水ポンプ２１のインペラー２２を回転させると、入口管２５を通って洗濯水が排水ケーシング２０の内部に流入し、フィルター部材３１から垂直上向きに突設した濾過突起３５によって毛羽やボタンのような異物がまず捕集され、引き続き、濾過突起３５を通過した異物が濾過穴３４によって捕集される。このように濾過された洗濯水は、インペラー２２を通って出口管２６から外部に排出される。
【図面の簡単な説明】
【００４２】
【図１】本発明によるドラム洗濯機の概略的な内部構造を示す斜視図である。
【図２】図１に示すドラム洗濯機の排水ケーシングと排水フィルターの斜視図である。
【図３】本発明の一実施の形態によって、排水フィルターが排水ケーシングに結合される直前の状態を示す斜視図である。
【図４】図３のＩＶ−ＩＶ線断面図である。
【図５】図２のＶ−Ｖ線断面図である。
【符号の説明】
【００４３】
１  ハウジング
１ａ  前面板
１ｂ  底板
２  水槽
３  回転槽
４  モーター
５  ドア
６  リフター
７  給水ホース
８  洗剤容器
９  排水ホース
２０排水ケーシング
２１  排水ポンプ
２２  排水ポンプ
２３  駆動モーター
２４  フィルター入口部
２４ａ  ねじ山
２４ｂ  案内突部
２５  入口管
２６  出口管
２７  結合突起
３０  排水フィルター
３１  フィルター部材
３１ａ  ボディー
３１ｂ  側面部
３１ｃ  先端部
３２  取っ手部
３２ａ  ねじ山
３２ｂ  ノブ
３３  案内板
３３ａ  上端部
３４  濾過穴
３５  濾過突起
３６  シーリング部材
３７  ブッシュ
３８  ねじ
４０  支持台
４１  挿入溝
４２  ねじ穴
４３  ねじ
【図１】
2005319282.tif 000003
【図２】
2005319282.tif 000004
【図３】
2005319282.tif 000005
【図４】
2005319282.tif 000006
【図５】
2005319282.tif 000007